(57)【要約】【課題】カーブ施工や幅調整を行う際に、作業が簡単で施工能率の良いフトン篭を開発する。【解決手段】四辺形状の底網（２）と、該底網（２）の一方の長辺に沿って付設する側網（３）と、該底網（２）の短辺に付設する幅網（４）と、底網（２）の中間部に短辺方向に付設する仕切網（５）とを有するフトン篭において、前記側網（３）に前記仕切網（５）の位置において縦方向に切断されている切断部（６）を設ける。隣に敷設したフトン篭の仕切網（５）の端部を切断部（６）に進入させ、仕切網を重ね合わせることで、幅調整が可能となるので、カーブ施工や幅調整の作業が簡単である。【選択図】      図１
2004270265.tif 000002
【特許請求の範囲】
【請求項１】
四辺形状の底網（２）と、該底網（２）の一方の長辺に沿って付設する側網（３）と、該底網（２）の短辺に付設する幅網（４）と、底網（２）の中間部に短辺方向に付設する仕切網（５）とを有するフトン篭において、前記側網（３）に前記仕切網（５）の位置において縦方向に切断されている切断部（６）を設けたことを特徴とするフトン篭
【請求項２】
四辺形状の底網（２２）と、該底網（２２）の対向する２長辺に沿って付設する側網（２３、２７）と、該底網（２２）の対向する２短辺に付設する幅網（２４）と、底網（２２）の中間部に短辺方向に付設する仕切網（２５）とを有するフトン篭において、前記側網（２３、２７）の少なくとも一方の側網（２３）に前記仕切網（２５）の位置において縦方向に切断された切断部（２６）を設けたことを特徴とするフトン篭
【請求項３】
請求項１又は２のフトン篭において、前記切断部が前記仕切網が通過可能な隙間を有することを特徴とするフトン篭
【請求項４】
請求項１、２又は３のフトン篭において、前記側網、幅網及び仕切網が底網に対して回動可能に取り付けられており、起こしたり倒したりが自在であることを特徴とするフトン篭
【発明の詳細な説明】
【０００１】
【発明の属する技術分野】
本発明は、法面保護工、護岸工などに使用されるフトン篭で、特にカーブ施工や幅調整に適したフトン篭に関する。
【０００２】
【従来の技術】
法面保護工、護岸工などに使用されるフトン篭は、例えば特開平６−１４６２３７号、特開平１１−６１８３５号、特開２０００−１７０１３５号などに開示されている。このようなフトン篭工法において、カーブ施工や幅調整に適したフトン篭としては、例えば特開平８−１３４８６８号がある。
【０００３】
前記の特開平８−１３４８６８号のフトン篭は、幅網と仕切網を２枚の部分網に分割し、該部分網の重なり長さを調整し、幅網と仕切網とを適宜の幅に合わせることで、カーブ施工や幅調整を行うものである。
【０００４】
【発明が解決しようとする課題】
上記のフトン篭は、各部分網の重なり長さを調整する場合、調整する部分網を底網から一旦取り外し、調整を行った後に再び底網に取り付ける作業が必要であり、施工能率が悪かった。
【０００５】
本発明は、カーブ施工や幅調整を行う際に、作業が簡単で施工能率の良いフトン篭を開発することを課題としてなされたものである。
【０００６】
【課題を解決するための手段】
本発明は、四辺形状の底網と、該底網の一方の長辺に沿って付設する側網と、該底網の対向する２短辺に付設する幅網と、底網の中間部に短辺方向に付設する仕切網とを有するフトン篭において、前記側網に前記仕切網の位置において縦方向に切断された切断部を設けたことを特徴とするフトン篭である。
【０００７】
また本発明は、四辺形状の底網と、該底網の対向する２長辺に沿って付設する側網と、該底網の対向する２短辺に付設する幅網と、底網の中間部に短辺方向に付設する仕切網とを有するフトン篭において、前記側網の少なくとも一方の側網に前記仕切網の位置において縦方向に切断された切断部を設けたことを特徴とするフトン篭である。
【０００８】
側網の仕切網の位置において縦方向に切断された切断部を設けたので、隣に敷設したフトン篭の仕切網の端部をこの切断部に進入させ、仕切網を重ね合わせることで、幅調整が可能となるので、カーブ施工や幅調整の作業が簡単である。
【０００９】
本発明において、側網の切断部は、側網が通過できる程度の僅かな隙間があることが望ましい。隙間を設けることで、隣に敷設したフトン篭の仕切網の端部をこの切断部に進入させる作業を容易に行うことができ、仕上がりも良くなる。また、側網、幅網及び仕切網は底網に対して回動可能に取り付けられ、起こしたり倒したりが自在であることが望ましい。このようにすることで、フトン篭を折り畳んだ状態で運搬できるので運搬効率が良く、現場での組み立ても容易である。
【００１０】
【発明の実施の形態】
以下、実施例を表した図面に基づいて本発明を詳細に説明する。図１は実施例のフトン篭１の斜視図、図２はフトン篭１の略展開図（仕切網を省略）、図３は実施例のフトン篭１１の略展開図（仕切網を省略）、図４は実施例のフトン篭２１の略展開図（仕切網を省略）、図５は幅調整の説明図、図６はカーブ施工の説明図である。
【００１１】
フトン篭１は、四辺形状（長方形）の底網２と、底網２の一方の長辺に沿って付設する側網３と、底網２の２つの短辺に付設する幅網４と、底網２の中間部に短辺方向に付設する３枚の仕切網５とからなる。各網は全て菱形金網である。側網３は、仕切網５の位置において縦方向に切断された切断部６を設けることで、３ａ〜３ｄの各部に分かれている。切断部６は仕切網５が挿入できる程度の僅かな隙間を有する。底網２、側網の各部３ａ〜３ｄ、幅網４、仕切網５の各網材は、外周を枠線Ｆで囲まれている。また、図２に示すように、底網２の仕切網５を設ける位置は補強線Ｒで補強されている。側網の各部３ａ〜３ｄ、幅網４、仕切網５の各網材は、コイル線Ｃで底網２に対して回動可能に接合されている。したがって、これらの網材は倒したり起こしたりが自在である。コイル線Ｃはコイル状に形成された金属線で、軸方向に回転させながら金網材料中に送り入れることで金網を接合する、周知の接合手段である。
【００１２】
フトン篭１１は、前記のフトン篭１とほぼ同じ構成であり、四辺形状（長方形）の底網１２と、底網１２の一方の長辺に沿って付設する側網１３と、底網１２の２つの短辺に付設する幅網１４と、底網１２の中間部に短辺方向に付設する３枚の仕切網１５とからなる。各網は全て菱形金網である。側網１３は、仕切網１５の位置において縦方向に切断された切断部１６を設けることで、１３ａ〜１３ｄの各部に分かれている。切断部１６は仕切網１５が挿入できる程度の僅かな隙間を有する。フトン篭１と異なるのは、底網１２と側網１３とが連続している単一の菱形金網から形成され、その境目に補強線Ｒが設けられている点である。側網の各部１３ａ〜１３ｄは補強線Ｒを介して底網１２に対して回動可能であり、倒したり起こしたりが自在である。
【００１３】
フトン篭１、１１はフトン篭工法におけるカーブ施工、中間部分の幅調整に用いて好適なものである。
【００１４】
図４に示すフトン篭２１は、前記のフトン篭１の開放されている長辺に側網２７を付設したものである。すなわち、フトン篭２１は四辺形状（長方形）の底網２２と、底網２２の一方の長辺に沿って付設する側網２３と、これに対向する長辺に敷設する側網２７と、底網２２の２つの短辺に付設する幅網２４と、底網２２の中間部に短辺方向に付設する３枚の仕切網２５とからなる。各網は全て菱形金網である。側網２３は、仕切網２５の位置において縦方向に切断された切断部２６を設けることで、２３ａ〜２３ｄの各部に分かれている。切断部２６は仕切網２５を挿入できる程度の僅かな隙間を有する。底網２２と側網２７とは連続している単一の菱形金網から形成され、その周囲は枠線Ｆで囲まれている。底網２２と側網２７の境目に補強線Ｒが設けられている。側網の各部２３ａ〜２３ｄ、幅網２４、仕切網２５の各網は、外周を枠線Ｆで囲まれている。また、図４に示すように、底網２２と側網２７の、仕切網２５を設ける位置は補強線Ｒで補強されている。側網の各部２３ａ〜２３ｄ、幅網２４、仕切網２５の各網は、コイル線Ｃで底網２に対して回動可能に接合されている。また、側網２７は補強線Ｒを介して底網２２に対して回動可能である。したがって、これらの網は倒したり起こしたりが自在である。フトン篭２１は、はフトン篭工法におけるカーブ施工の終端部分や、終端部分の幅調整に用いて好適なものである。
【００１５】
図５は、通常のフトン篭３１を連続して敷設した終端部に、幅調整で実施例のフトン篭２１を施工した例を示している。このようにすることで、施工現場の総延長に的確に対応させることができる。通常のフトン篭３１は、四辺形状の底網３２と、底網３２の一方の長辺に沿って付設する１枚の側網３３と、底網３２の短辺に付設する２枚の幅網３４と、底網３２の中間部に短辺方向に付設する３枚の仕切網３５とを有し、側網３３は切断部を有しないで一体となっている。このような通常のフトン篭３１を幅方向に連続して敷設し、終端部にフトン篭２１を敷設する。フトン篭２１を敷設する場合、側網２３の切断部６に敷設済みの隣接するフトン篭３１の仕切網３５を挿入し、フトン篭２１の底網２２をフトン篭３１の底網３２と仕切網３５及び一方の幅網３４の間に挿入する。このようにすることで、フトン篭２１、３１の仕切網、幅網及び底網どうしを適宜寸法だけ重ね合わせ、幅調整を行うことができる。フトン篭２１を敷設した後は、隣接する仕切網どうし、幅網どうし、側網と仕切網、側網と幅網など、適宜箇所をコイル線Ｃで接合する。フトン篭の内部には詰石を充填し、必要に応じて蓋網を被せる。
【００１６】
図６は実施例のフトン篭１を用いたカーブ施工の例を示している。フトン篭１を連続して敷設し、隣接する各フトン篭１の仕切網、幅網及び底網どうしを適宜寸法だけ重ね合わせ、隣接するフトン篭１が相互に斜めになるように敷設していく。仕切網、幅網及び底網どうしを重ね合わせる敷設方法は、前記のフトン篭２１の場合と同様である。敷設後に適宜コイル線Ｃで各網材を接合する。敷設後はフトン篭の内部に詰石を充填し、必要に応じて蓋網を被せる。
【００１７】
【発明の効果】
本発明のフトン篭は、カーブ施工や幅調整を行う際に、一部の網材を取り外す必要がないので、敷設作業が簡単で施工能率が良い。
【図面の簡単な説明】
【図１】実施例のフトン篭１の斜視図である。
【図２】フトン篭１の略展開図（仕切網を省略）である。
【図３】実施例のフトン篭１１の略展開図（仕切網を省略）である。
【図４】実施例のフトン篭２１の略展開図（仕切網を省略）である。
【図５】幅調整の説明図である。
【図６】カーブ施工の説明図である。
【符号の説明】
１  フトン篭
２  底網
３  側網
４  幅網
５  仕切網
６  切断部
１１  フトン篭
１２  底網
１３  側網
１４  幅網
１５  仕切網
１６  切断部
２１  フトン篭
２２  底網
２３  側網
２４  幅網
２５  仕切網
２６  切断部
２７  側網
Ｃ  コイル線
Ｆ  枠線
Ｒ  補強線
【図１】
2004270265.tif 000003
【図２】
2004270265.tif 000004
【図３】
2004270265.tif 000005
【図４】
2004270265.tif 000006
【図５】
2004270265.tif 000007
【図６】
2004270265.tif 000008